(57)【要約】【課題】従来の流し台のごみ収容器にごみが付着し目詰まりすると配水管に排水が流れにくくなり、ごみをこまめに取り除く必要がある。そこで、この発明は、ごみ収容器にごみが溜まっても排水の流れを円滑に維持するごみ収容器を提供することを課題とする。【解決手段】ごみ収容器の中心に排水の流れを円滑に維持するため、円筒状網目構造のフィルターを設け、２重の円筒構造とする。また２重の袋構造のごみ収集ネットを利用することで、ごみ収容器に装着しやすくなり、前記ごみ収容器の排水の流れを円滑に維持し、効果的なごみ収集ができ、前記ごみ収容器にごみの付着を少なくし、ごみの廃棄を行いやすく、衛生的な利用を可能とする。ごみ収容器の凹凸断面形状で横長のごみ収容器に応用変形することで、横流しの排水に対応した円滑な排水の維持を可能とする。【選択図】図１
2006076786.tif 000002
【特許請求の範囲】
【請求項１】
流し台のごみ収容器の構造を２重の円筒構造にしたことを特徴とするごみ収容器。
【請求項２】
前記ごみ収容器は、網目構造で、排水の流れを円滑に維持するためのフィルターを設けたことを特徴とする請求項１記載のごみ収容器。
【請求項３】
前記ごみ収容器の排水の流れを円滑に維持し、ごみの廃棄を手助けする凹凸の形状を特徴とするごみ収集ネット
【請求項４】
前記ごみ収容器の断面形状を応用し、横流しの排水に対応したことを特徴とするごみ収容器。
【発明の詳細な説明】
【技術分野】
【０００１】  この発明は、流し台の排水の流れを円滑に維持するためのごみ収容器の形状に関する。
【背景技術】
【０００２】  従来の流し台に用いるごみ取りを目的としたごみ収容器の形状は、図５に示すように、網目状の円筒構造である。（例えば特許文献１参照）
【特許文献１】特開平１１−０５０５０５（図５）
【発明の開示】
【発明が解決しようとする課題】
【０００３】  しかしながら、以上の技術によれば、流し台のごみ収容器にごみが溜まり目詰まりすると配水管に排水が流れにくくなり、ごみをこまめに取り除く必要があった。そこで、この発明は、ごみ収容器にごみが溜まっても排水の流れを円滑に維持するごみ収容器を提供することを課題とする。
【課題を解決するための手段】
【０００４】  以上の課題を解決するために、第一発明は、ごみ収容器の構造を２重の円筒状網目構造にしたことを特徴とするごみ収容器である。第二発明は前記ごみ収容器の中心に排水の流れを円滑にするためのフィルターを設けたことを特徴とするごみ収容器である。第三発明は前記ごみ収容器に装着し、前記ごみ収容器の排水の流れを円滑に維持し、ごみの廃棄を手助けする凹凸の形状を特徴とするごみ収集ネットである。第四発明は前記ごみ収容器の断面形状を応用し、前記ごみ収容器の凹凸断面形状でかつ横長のごみ収容器に変形することで、横流しの排水に対応したことを特徴とするごみ収容器である。
【発明の効果】
【０００５】  第一発明、または第二発明によれば、ごみ収容器の構造を２重の円筒状網目構造にし、中心に排水の流れを円滑にするためのフィルターを設けたので、前記ごみ収容器にごみがいっぱいになるまで円滑な排水の維持を可能とする。第三発明によれば、前記ごみ収容器に装着しやすいごみ収集ネットを提供し、前記ごみ収集ネットを装着することで前記ごみ収容器の排水の流れを円滑に維持し、前記ごみ収容器本体にごみの付着を少なくし、前記ごみ収集ネットに溜まったごみの廃棄を行いやすく、衛生的な利用を可能とする。第四発明によれば、上方から流れ込む排水と横方向へ流す排水の両方を円滑に排水することを可能とする。
【発明を実施するための最良の形態】
【０００６】  第一発明と第二発明の一実施形態を、図１に示す。
ごみ収容器本体１は網目状のものであり、この本体１の内側の円筒状フィルター２は外側の円筒状フィルター３よりも直径が小さい構造となっている。底部面４と内側の円筒状フィルター２の上部面５もフィルターの網目構造となっている。
第三発明の一実施形態を図３に示す。
ごみ収集ネット本体１１は、ごみ収容器本体１に装着しやすい構造で、ごみ収容器の排水の流れを円滑に維持し、ごみの廃棄を手助けする凹凸の形状を特徴とし、２重の袋構造になっている。図１のごみ収容器本体１の内側の円筒状フィルター２をごみ収集ネット本体１１の内側ポケット９に挿入し、ごみ収容器本体１の内側に装着する。ごみはごみ収集ネット本体１１の上方ごみ受け口１０から入り、収集ネット内に溜めることができる構造となっている。
第四発明の一実施形態を図４に示す。
横向きの排水溝１７に凹凸形状のごみ収容網１２を装着する。ごみ混じりの排水１３が流れ込むと、ごみ１４はごみ溜まりに溜まり、排水１５は凸部上方もしくは側面から排水溝中央部に流れ込む構造となっている。排水上流に装着したごみ収容器からの排水１６と合流し、円滑な排水を可能とする。【０００７】「実施形態の効果」
第一発明もしくは第二発明の実施形態によれば、内側の円筒状フィルター２と上部面フィルター５の働きで、円筒状フィルター２の中にはごみが入り込まない。ごみは円筒状フィルター２と円筒状フィルター３の間の空間に溜まっていき、次第に本体１の上部受け口６のところまで溜まっていく。その間排水は、内側の円筒状フィルター２の働きで図２の実施過程のように円筒状フィルター２の上方もしくは側面からフィルターの中に排水７され、上部面フィルター５にごみ８が覆いかぶさるまでは排水の流れ７を円滑に維持することができる。
第三発明によれば、ごみ収集ネット本体１１の内側ポケット９の働きで、ごみ収容器本体１の内側に装着しやすくなり、排水の流れを円滑に維持し、効果的なごみ収集ができ、前記ごみ収容器にごみの付着を少なくし、ごみの廃棄を行いやすく、衛生的な利用を可能とする。
第四発明によれば、ごみ収容器の凹凸構造がごみ混じりの排水１３をごみ１４と排水１５とに分別し、ごみ収容網１２にごみ１４いっぱいになるまで円滑な排水１５を可能とする。ごみ収容器１２を連結し排水溝に装着することで、排水上流の排水の流れ１６も円滑な排水を維持することができる。またごみの廃棄はごみ収容器１２を取り外すことでまとめて廃棄でき、排水が集中する部分への局所的なごみ詰まりを未然に防止することもできる。【０００８】「他の実施形態」
図１の実施形態では、形状が円筒状であるが、角筒状のものでもよい。
【産業上の利用可能性】
【０００９】公共道路の排水溝における排水で利用できる可能性がある。
【図面の簡単な説明】
【００１０】
【図１】第一発明と第二発明の一実施形態を示す斜視図である。
【図２】第一発明と第二発明の一実施過程を示す斜視図である。
【図３】第三発明の一実施形態を示す斜視図である。
【図４】第四発明の一実施形態を示す斜視図である。
【図５】従来技術を示す斜視図である。
【符号の説明】
【００１１】      １  ごみ収容器本体
２  本体の内側の円筒状フィルター
３  本体の外側の円筒状フィルター
４  本体の底部面フィルター
５  内側の円筒状フィルターの上部面フィルター
６  ごみ収容器上部受け口
７  排水の流れ
８  溜まったごみ
９  ごみ収集ネットの内側ポケット
１０  ごみ収集ネットの上方ごみ受け口
１１  ごみ収集ネット本体
１２  凹凸形状のごみ収容網
１３  ごみ混じりの排水
１４  ごみ
１５  排水の流れ
１６  排水上流に装着したごみ収容器からの排水の流れ
１７  横向きの排水溝
【図１】
2006076786.tif 000003
【図２】
2006076786.tif 000004
【図３】
2006076786.tif 000005
【図４】
2006076786.tif 000006
【図５】
2006076786.tif 000007